(57)【要約】【課題】所定の厚みと重さを有するビニルシートにより、携帯型プリンタの用紙排出口から送り出された記録用紙を保護する記録用紙カバーを形成して、用紙排出口から送り出された記録用紙が、天候の影響を強く受けてしまう事態の発生を回避すると共に、カバーの存在していない既存の携帯型プリンタに対して、事後的に記録用紙カバーを適宜追加することのできる、携帯型プリンタ用の記録用紙保護カバーと、記録用紙カバーを備えている携帯型プリンタを提供する。【解決手段】本発明に係る携帯型プリンタ用の記録用紙保護カバーは、記録用紙に情報を印字し、印字された記録用紙を用紙排出口から送り出すプリンタ機構部を備えている携帯型プリンタに、所定の厚みと重さを有するビニルシートを取り付けて、携帯型プリンタの用紙排出口から送り出された記録用紙を保護する記録用紙カバーを形成している。【選択図】図１
2012131188.tif 000002
【特許請求の範囲】
【請求項１】
記録用紙に情報を印字し、印字された記録用紙を用紙排出口から送り出すプリンタ機構部を備えている携帯型プリンタに、所定の厚みと重さを有するビニルシートを取り付けて、携帯型プリンタの用紙排出口から送り出された記録用紙を保護する記録用紙カバーを形成していることを特徴とする、携帯型プリンタ用の記録用紙保護カバー。
【請求項２】
記録用紙カバーは、少なくとも携帯型プリンタの用紙排出口が存在している部分と、用紙排出口から送り出された記録用紙の全体を覆うことのできる大きさを有する平板状に形成されている請求項１に記載の携帯型プリンタ用の記録用紙保護カバー。
【請求項３】
記録用紙カバーは、可撓性・柔軟性を備え、携帯型プリンタの外部形状に沿うように配置されている請求項１または２に記載の携帯型プリンタ用の記録用紙保護カバー。
【請求項４】
記録用紙カバーは、その内側面に滑性を有する請求項１乃至３に記載の携帯型プリンタ用の記録用紙保護カバー。
【請求項５】
記録用紙カバーは、その内側面に帯電性を有する請求項１乃至４に記載の携帯型プリンタ用の記録用紙保護カバー。
【請求項６】
記録用紙カバーは、透明である請求項１乃至５に記載の携帯型プリンタ用の記録用紙保護カバー。
【請求項７】
請求項１乃至６に記載の記録用紙カバーを備えている携帯型プリンタ。
【請求項８】
記録用紙カバーにより、用紙排出口が存在している部分を含む携帯型プリンタの全体を覆った状態とし、所定の位置にベルト通しを付設している請求項７に記載の記録用紙カバーを備えている携帯型プリンタ。
【発明の詳細な説明】
【技術分野】
【０００１】
本発明は、携帯型プリンタを使用して、印字された記録用紙を用紙排出口から送り出したときに、この記録用紙を、所定の厚みと重さを有するビニルシートにより保護することができる、携帯型プリンタ用の記録用紙保護カバーと、記録用紙カバーを備えている携帯型プリンタに関するものである。
【背景技術】
【０００２】
従来より、電気、ガス、水道等の検針現場において、検針伝票を発行することのできる携帯可能な電子機器が使用されている。
【０００３】
この電子機器は、機器本体内に情報処理部を内蔵すると共に、機器本体内にプリンタ機構部を備え、例えば、入力キーを介して入力された検針値データを、プリンタ機構部により用紙に印字して、所定の用紙排出口から送り出している。
【０００４】
また、電子機器として、入力キーと情報処理部を内蔵している機器部分と、検針値データを用紙に印字して用紙排出口から送り出すプリンタ部分が、分かれている構造の物も存在する。
【０００５】
後者のタイプにおいては、例えば、図１１に示すように、針値データを用紙に印字して用紙を送り出すプリンタ部分を、独立した携帯型プリンタ１００として構成している。この携帯型プリンタ１００は、後面側に所定のベルト通し１０１を付設して、例えば、図１２に示すように、電気、ガス、水道等の検針業務を実施する作業員ＳのベルトＢに装着して使用されている。
【０００６】
この様な携帯型プリンタ１００において、作業員Ｓが所定の操作部１０３を操作して、記録用紙Ｐに検針値データを印字する。このとき、検針値データが印字されて用紙排出口１０２から送り出された記録用紙Ｐは、図１１・図１２に示すように、送り出された用紙Ｐの全体が露出した状態となっている。
【０００７】
検針業務を実施する作業員Ｓは、針値データが印字されて露出した状態となっている記録用紙Ｐを指で摘んで、ミシン目等が設けられている所定の位置で切断してから、この切断した記録用紙Ｐを契約者に直接渡したり、契約者のポストに投函していたのである。
【０００８】
この他、針値データが印字されている記録用紙Ｐを保護する機能を備えている機器として、例えば、特許文献１に示す電子装置が存在している。
【０００９】
この電子装置は、持ち運び可能なケース内に情報処理部を内蔵し、該情報処理部において処理されたデータをプリンタ機構部において打ち出すプリンタ機構部を有する可搬型電子装置において、前記プリンタ機構部を、前記ケースに弾発的に、かつ着脱可能に装着される防滴カバーにより覆うと共に、該防滴カバーの内壁とケース外壁との間に装置外方に連通する用紙通過経路を構成してなるプリンタ機構部を有するものである。
【先行技術文献】
【特許文献】
【００１０】
【特許文献１】実開平５−７４６６号公報
【発明の概要】
【発明が解決しようとする課題】
【００１１】
上記したように、図１１・図１２に示す携帯型プリンタ１００においては、検針値データが印字されて用紙排出口１０２から送り出された記録用紙Ｐが露出した状態となっていることから、以下のような弊害が生じている。
【００１２】
即ち、電気、ガス、水道等の検針装置が屋外に設置されていることが多いため、検針値データが印字され、用紙排出口１０２から送り出されて露出した状態となっている記録用紙Ｐが、天候の影響を強く受けてしまうのである。
【００１３】
例えば、強風時に検針業務を実施した場合、検針値データが印字され、用紙排出口１０２から送り出されて露出した状態となっている記録用紙Ｐが、千切れて飛ばされてしまう事態が生じていたのである。
【００１４】
この様に記録用紙Ｐが千切れて飛ばされてしまうと、個人情報が記載されている紙片を紛失することになる為、当該紙片を必ず探し出さなければならず、その紙片の捜索作業に、多大な時間と多くの作業員Ｓを要していた。
【００１５】
この他にも、記録用紙Ｐが千切れて飛ばされてしまうと、作業員Ｓは、検針値データを、用紙に再度印字しなければならなかった。
【００１６】
また、降雨時に検針業務を実施した場合、用紙排出口１０２から送り出されて露出した状態となっている記録用紙Ｐが濡れてしまい、記録用紙Ｐに皺が生じたり、また、印字している数値が滲んでしまい、検針値データが見難くなっていた。
【００１７】
さらに、記録用紙Ｐが濡れると切れ易くなることから、本来切断すべき部分以外のところで記録用紙Ｐが千切れてしまう事態が生じていた。この様な場合も、作業員Ｓは、検針値データを、用紙に再度印字しなければならなかった。
【００１８】
上記したように、図１１・図１２に示す従来の携帯型プリンタ１００を使用した場合、用紙排出口１０２から送り出されて露出した状態となっている記録用紙Ｐが、天候の影響を強く受けてしまい、記録用紙Ｐが、千切れて飛ばされてしまうと、その記録用紙Ｐの捜索作業に、多大な時間と多くの作業員Ｓを要していた。
【００１９】
また、作業員Ｓによる再印字、再発行を実施しなければならない機会が増加することから、検針業務に長時間を要する原因となっていた。さらに、携帯型プリンタ１００により使用する記録用紙Ｐを、浪費してしまうことにもなっていた。
【００２０】
一方、特許文献１に示す電子装置においては、針値データが印字されている記録用紙Ｐを保護するために、電子装置におけるプリンタ機構部を、ケースに弾発的、かつ着脱可能に装着される防滴カバーにより覆うと共に、防滴カバーの内壁とケース外壁との間に装置外方に連通する用紙通過経路を構成している。
【００２１】
しかし、防滴カバーの取り付け構造が、ロール紙カバーに設けられているヒンジ孔にボスを嵌入させるという、予め成形が必要な部材を用いたもので、その構造が複雑なものとなっていた。
【００２２】
また、特許文献１に示す電子装置は、完成品として予め防滴カバーを備えているものであり、カバーが存在していない電子装置に、事後的に防滴カバーを追加できるような構成とはなっていない。
【００２３】
そこで、本発明は如上のような従来存した諸事情に鑑み創出されたもので、所定の厚みと重さを有するビニルシートにより、携帯型プリンタの用紙排出口から送り出された記録用紙を保護する記録用紙カバーを形成して、用紙排出口から送り出された記録用紙が、天候の影響を強く受けてしまう事態の発生を回避すると共に、カバーの存在していない既存の携帯型プリンタに対して、事後的に記録用紙カバーを適宜追加することのできる、携帯型プリンタ用の記録用紙保護カバーと、記録用紙カバーを備えている携帯型プリンタを提供することを目的とする。
【課題を解決するための手段】
【００２４】
本発明に係る携帯型プリンタ用の記録用紙保護カバーは、記録用紙に情報を印字し、印字された記録用紙を用紙排出口から送り出すプリンタ機構部を備えている携帯型プリンタに、所定の厚みと重さを有するビニルシートを取り付けて、携帯型プリンタの用紙排出口から送り出された記録用紙を保護する記録用紙カバーを形成していることにより、上述した課題を解決した。
【００２５】
また、記録用紙カバーは、少なくとも携帯型プリンタの用紙排出口が存在している部分と、用紙排出口から送り出された記録用紙の全体を覆うことのできる大きさを有する平板状に形成されていることにより、同じく上述した課題を解決した。
【００２６】
さらに、記録用紙カバーは、可撓性・柔軟性を備え、携帯型プリンタの外部形状に沿うように配置されていることにより、同じく上述した課題を解決した。
【００２７】
また、記録用紙カバーは、その内側面に滑性を有することにより、同じく上述した課題を解決した。
【００２８】
加えて、記録用紙カバーは、その内側面に帯電性を有することにより、同じく上述した課題を解決した。
【００２９】
また、記録用紙カバーは、透明であることにより、同じく上述した課題を解決した。
【００３０】
この他、本発明に係る携帯型プリンタは、前記した記録用紙カバーを備えていることにより、同じく上述した課題を解決した。
【００３１】
また、記録用紙カバーにより、用紙排出口が存在している部分を含む携帯型プリンタの全体を覆った状態とし、所定の位置にベルト通しを付設していることにより、同じく上述した課題を解決した。
【発明の効果】
【００３２】
本発明に係る携帯型プリンタ用の記録用紙保護カバーは、記録用紙に情報を印字し、印字された記録用紙を用紙排出口から送り出すプリンタ機構部を備えている携帯型プリンタに、所定の厚みと重さを有するビニルシートを取り付けて、携帯型プリンタの用紙排出口から送り出された記録用紙を保護する記録用紙カバーを形成していることから、用紙排出口から送り出された記録用紙が、天候の影響を強く受けてしまう事態の発生を回避することができる。
【００３３】
例えば、強風時に検針業務を実施した場合であっても、検針値データが印字され、用紙排出口から送り出されている記録用紙が、所定の厚みと重さを有するビニルシートにより形成されている記録用紙カバーにより覆われていることから、記録用紙が千切れて飛ばされてしまう事態の発生を回避できる。
【００３４】
その結果、個人情報が記載されている記録用紙を、紛失してしまう事態の発生を回避できることから、多大な時間と多くの作業員を要して記録用紙を探し出す捜索作業を実施する必要が無くなる。
【００３５】
また、ビニルシートは、所定の厚みと重さを有することから、強風下においても当該ビニルシートが反り返るようなことが無く、記録用紙を強風に晒すような事態の発生を回避している。
【００３６】
さらに、ビニルシートは、所定の厚みと重さを有することから、特定の形状を維持する性質も備えている。その為、ビニルシートを用紙排出口側に向けて折曲させて、用紙排出口から送り出されて来る記録用紙が、ビニルシートの内側面に僅かに摺接するような状態を維持させたときには、記録用紙をより保護することができる。
【００３７】
加えて、降雨時に検針業務を実施した場合であっても、記録用紙が所定の厚みと重さを有するビニルシートにより形成されている記録用紙カバーにより覆われていることから、記録用紙が濡れることが無く、記録用紙に皺が生じたり、また、記録用紙に印字した数値が滲んで検針値データが見難くなってしまう事態の発生を回避できる。
【００３８】
さらに、記録用紙が濡れることが無いので、本来切断すべき部分以外のところで、記録用紙が千切れてしまう事態の発生も回避できる。
【００３９】
この様に、用紙排出口から送り出された記録用紙が、所定の厚みと重さを有するビニルシートにより形成されている記録用紙カバーにより覆われて保護されていることから、検針値データが印字されている記録用紙の適正な状態を常に維持することができる。
【００４０】
その結果、作業員による再印字、記録用紙の再発行という面倒な作業を省いて、検針業務を効率良く実施することができる。また、記録用紙を浪費することも無い。
【００４１】
加えて、本発明に係る携帯型プリンタ用の記録用紙保護カバーは、携帯型プリンタに、所定の厚みと重さを有するビニルシートを取り付けて、携帯型プリンタの用紙排出口から送り出された記録用紙を保護する記録用紙カバーを形成していることから、カバーの存在していない既存の携帯型プリンタに対して、事後的に記録用紙カバーを適宜追加して、作業員による検針業務を効率良く実施することができる。
【００４２】
また、記録用紙カバーは、少なくとも携帯型プリンタの用紙排出口が存在している部分と、用紙排出口から送り出された記録用紙の全体を覆うことのできる大きさを有する平板状に形成されていることから、送り出された記録用紙を完全に覆って、記録用紙を確実に保護することができる。
【００４３】
この他、記録用紙カバーは、可撓性・柔軟性を備えていることから、携帯型プリンタの外部形状に沿うように配置することが可能となる。
【００４４】
また、記録用紙カバーは、その内側面に滑性を有することから、記録用紙カバーの内側面に記録用紙が当接した場合であっても、記録用紙の進行を阻害することが無く、用紙排出口からの記録用紙の滑らかな送り出しを許容している。
【００４５】
さらに、記録用紙カバーは、その内側面に帯電性を有することから、用紙排出口から送り出されて来る記録用紙が、記録用紙カバーの内側面に摺接するような状態となったとき、送り出された記録用紙が静電気の作用により、記録用紙カバーの内側面に吸い着いたような状態なり、記録用紙が記録用紙カバーにより確実に保護される。
【００４６】
また、記録用紙カバーが、透明であることから、携帯型プリンタが備えているボタン等の部材を記録用紙カバーを介して視認できる。このとき、記録用紙カバーは、柔軟性を備えていることから、記録用紙カバーを介して、当該ボタン等を押し込む動作も可能となる。
【００４７】
この他、本発明に係る携帯型プリンタは、前記した記録用紙カバーを備えていることから、当該記録用紙カバーにより、送り出された記録用紙を確実に保護することができる。
【００４８】
また、記録用紙カバーにより、用紙排出口が存在している部分を含む携帯型プリンタの全体を覆った状態とし、所定の位置にベルト通しを付設していることから、作業員は、この携帯型プリンタをベルト部分に装着して、検針業務を効率良く実施することができる。
【図面の簡単な説明】
【００４９】
【図１】携帯型プリンタに、その外部形状に沿うように記録用紙カバーを取り付けた状態を示す斜視図である。
【図２】携帯型プリンタおける記録用紙カバーの配置状態を示すもので、（ａ）は記録用紙カバーの先端側部分の全体を、携帯型プリンタの用紙排出口側に近接するように折曲させている状態を示す側面図、（ｂ）は記録用紙カバーを若干反り返している状態を示す側面図である。
【図３】携帯型プリンタに、ベルト通し形成部材と記録用紙カバーを取り付ける状態を、携帯型プリンタ側から見た分解斜視図である。
【図４】記録用紙カバーのスリット孔に、ベルト通し形成部材の上方部分を貫装させるようにして、携帯型プリンタの後面側部分に記録用紙カバーを配置する状態を、携帯型プリンタ側から見た分解斜視図である。
【図５】携帯型プリンタに、ベルト通し形成部材と記録用紙カバーを取り付ける状態を、記録用紙カバー側から見た分解斜視図である。
【図６】記録用紙カバーのスリット孔に、ベルト通し形成部材の上方部分を貫装させるようにして、携帯型プリンタの後面側部分に記録用紙カバーを配置する状態を、記録用紙カバー側から見た分解斜視図である。
【図７】ベルト通し形成部材の上方部分が、記録用紙カバーのスリット孔から突出しており、また、ベルト通し形成部材の凹部が、記録用紙カバーの孔を介して露出している状態を示す斜視図である。
【図８】ベルト通し形成部材によりベルト通しを形成する過程を示すもので、（ａ）は携帯型プリンタの後面側部分に固定したベルト通し形成部材の上方部分が、記録用紙カバーのスリット孔から突出している状態を示す斜視図、（ｂ）はベルト通し形成部材の上方における２個の凸部を、記録用紙カバーの孔を介して露出している２個の凹部に嵌め込んでベルト通しを形成した状態を示す斜視図、（ｃ）はベルト通しに作業員のベルトを挿通させた状態を示す斜視図である。
【図９】作業員のベルトに、記録用紙カバーを備えている携帯型プリンタを装着している状態を示す斜視図である。
【図１０】記録用紙カバーの、他の形態を示す平面図である。
【図１１】従来の携帯型プリンタの構成を示す斜視図である。
【図１２】従来の携帯型プリンタを、作業員のベルトに装着している状態を示す斜視図である。
【発明を実施するための形態】
【００５０】
以下に、図面を参照して、本発明を実施するための形態を詳細に説明する。
【００５１】
本発明に係る携帯型プリンタ用の記録用紙保護カバーは、図１・図２（ａ）（ｂ）に示すように、記録用紙Ｐに情報を印字し、印字された記録用紙Ｐを用紙排出口１０２から送り出すプリンタ機構部を備えている携帯型プリンタ１００に、所定の厚みと重さを有するビニルシートを取り付けて、携帯型プリンタ１００の用紙排出口１０２から送り出された記録用紙Ｐを保護する記録用紙カバー１を形成している。
【００５２】
尚、図１に示す携帯型プリンタ１００は、電子機器として、入力キーと情報処理部を内蔵している機器部分と、検針値データを用紙に印字して用紙排出口１０２から送り出すプリンタ部分が分かれている構造の物であるが、これに限定されることはない。
【００５３】
例えば、入力キーと情報処理部を内蔵している機器部分と、検針値データを用紙に印字して用紙排出口から送り出すプリンタ部分が一体的に構成されている電子機器における、プリンタ部分（１００）を包含するものである。
【００５４】
図１・図３に示す携帯型プリンタ１００は、所定の高さと幅を有する、略四角形の閉鎖された箱状に形成されている。また、前面側において、略中間部分から上端部分にかけて、前方に向けてなだらかに膨出した形状となっている。この膨出した形状の傾斜部分に、用紙排出口１０２が設けられている。さらに、上面部分に、ボタン等を有する操作部１０３が設けられている。
【００５５】
記録用紙カバー１は、所定の厚みと重さを有するビニルシートを素材として形成されている。また、記録用紙カバー１は、図１・図２（ａ）（ｂ）に示すように、少なくとも携帯型プリンタ１００の用紙排出口１０２が存在している前面側部分と、用紙排出口１０２から送り出された記録用紙Ｐの全体を覆うことのできる大きさを有する平板状に形成されている。
【００５６】
尚、図３に示すように、記録用紙カバー１を、所定の長さの長方形状に形成して、図１・図２（ａ）（ｂ）に示すように、携帯型プリンタ１００の用紙排出口１０２が存在している前面側部分の全体、操作部１０３が設けられている上面部分、フラットな後面側部分の全体を覆うように配置しても良い。
【００５７】
そして、記録用紙カバー１は、可撓性・柔軟性を備えていることから、図１・図２（ａ）に示すように、基本的に、携帯型プリンタの外部形状に沿うように配置される。
【００５８】
また、記録用紙カバー１は透明であり、その内側面に滑性や帯電性を有すると好ましいものとなる。
【００５９】
携帯型プリンタ１００への記録用紙カバー１の取り付けは、例えば、図３・図４、図５・図６に示すように、ベルト通し形成部材３を利用して、所定の長さの長方形状に形成された記録用紙カバー１を、携帯型プリンタ１００の後面側部分に固定する。
【００６０】
このとき、携帯型プリンタ１００の後面側部分においては、図５に示すように、後面側部分の上方に、所定の間隔を開けて２個のネジ穴１０４を設けておく。また、記録用紙カバー１においては、図３・図５に示すように、記録用紙カバー１の基端側部分における所定の位置に、離隔するように２個の円形の孔２Ａを設けておく。さらに、図３・図５に示すように、記録用紙カバー１の２個の円形の孔２Ａの上方に、横長の長方形状に形成されたスリット孔２Ｂを設けておく。
【００６１】
ベルト通し形成部材３は、図５に示すように、全体として所定の長さを有する長方形の枠状に形成されている。このベルト通し形成部材３の略中間位置における両垂設片部分に、円形の孔４を設けておく。
【００６２】
さらに、図５に示すように、ベルト通し形成部材３の上方における両端部に、２個の凸部５を設けておく。また、ベルト通し形成部材３の下方における両端部に、２個の凹部６を設けておく。
【００６３】
そして、図３・図５に示すように、携帯型プリンタ１００の後面側部分におけるネジ穴１０４に、ベルト通し形成部材３における２個の孔４を合致させ、ボルト７のネジ棒部分をベルト通し形成部材３の孔４に貫挿し、携帯型プリンタ１００のネジ穴１０４にボルト７を捩じ込んで、図４・図６に示すように、携帯型プリンタ１００の後面側部分に、ベルト通し形成部材３の略中間部分を固定するのである。
【００６４】
次に、図４・図６に示すように、記録用紙カバー１のスリット孔２Ｂに、ベルト通し形成部材３の上方部分を貫装させるようにし、最終的に図７に示すように、携帯型プリンタ１００の後面側部分に記録用紙カバー１を配置する。
【００６５】
このとき、図７・図８（ａ）に示すように、ベルト通し形成部材３の上方部分は、記録用紙カバー１のスリット孔２Ｂから突出した状態となっている。また、記録用紙カバー１の２個の孔２Ａを、ベルト通し形成部材３の下方に位置している２個の凹部６に宛がい、記録用紙カバー１の孔２Ａを介してベルト通し形成部材３の凹部６が露出している状態とする。
【００６６】
この状態で、図８（ｂ）に示すように、ベルト通し形成部材３の上方部分の全体を下方に向けて折り返して、ベルト通し形成部材３の上方における２個の凸部５を、記録用紙カバー１の孔２Ａを介して露出している２個の凹部６に嵌め込む。
【００６７】
この様にして、ベルト通し形成部材３は、携帯型プリンタ１００の後面側部分に記録用紙カバー１を固定しつつ、携帯型プリンタ１００の後面側部分にベルト通し８を形成しているのである。
【００６８】
そして、図８（ｃ）に示すように、このベルト通し８に作業員ＳのベルトＢを挿通させて、例えば、図９に示すように、作業員Ｓの腰部分に、記録用紙カバー１を備えている携帯型プリンタ１００を装着するのである。
【００６９】
携帯型プリンタ１００の後面側部分に固定した記録用紙カバー１は、図１・図２（ａ）・図８（ｃ）に示すように、記録用紙カバー１の略中間部分が、携帯型プリンタ１００の操作部１０３に当接するように折曲される。また、記録用紙カバー１の先端側部分が、下方に向けて折曲される。このとき、図２（ａ）に示すように、記録用紙カバー１の先端側部分の全体を、携帯型プリンタ１００の用紙排出口１０３側に近接するように折曲させて、用紙排出口１０３から送り出されて来る記録用紙Ｐが、記録用紙カバー１の内側面に僅かに摺接するような状態を維持させると、好ましいものとなる。
【００７０】
そして、記録用紙カバー１を備えている携帯型プリンタ１００を腰部分に装着している作業員Ｓは、針値データを入力後、透明な記録用紙カバー１を介して携帯型プリンタ１００の操作部１０３を視認し、記録用紙カバー１の上から操作部１０３のボタン等を押し込む動作を行い、針値データが印字されている記録用紙Ｐを、携帯型プリンタ１００の用紙排出口１０２から送り出す。
【００７１】
このとき、図２（ａ）に示すように、記録用紙Ｐの全体が記録用紙カバー１により覆われていることから、記録用紙Ｐが強風に晒されたり、雨に濡れてしまう事態の発生を回避することができる。
【００７２】
また、送り出された記録用紙Ｐを、ミシン目等に沿って切断するときは、例えば、図９に示すように、作業員Ｓの右手における親指と人差し指を、記録用紙カバー１の内側に潜り込ませる。
【００７３】
そして、図２（ｂ）に示すように、記録用紙カバー１の先端部側を外側に向けて若干反り返したような状態とし、図９に示すように、親指と人差し指により記録用紙Ｐの端部を摘んで、記録用紙Ｐを切断するのである。
【００７４】
このとき、作業員Ｓの左手により、記録用紙カバー１が必要以上に反り返らないように、記録用紙カバー１を軽く押えておくと、記録用紙Ｐが強風に晒されたり、雨に濡れてしまう事態の発生を確実に防止することができる。
【００７５】
尚、記録用紙カバー１の形状やサイズは、図３・図５等に示されたものに限定されることはなく、携帯型プリンタ１００の形状やサイズに合わせて、適宜変更可能である。
【００７６】
例えば、図１０に示すように、記録用紙カバー１を、幅１６ｃｍ、長さ３２ｃｍに形成し、２個の孔２Ａの半径を、０．８ｃｍに形成しても良い。また、それぞれの孔２Ａの中心が、短手方向の側縁から２ｃｍ離れるように設けても良い。さらに、それぞれの孔２Ａの中心が、長手方向の側縁から５ｃｍ離れるように設けても良い。
【００７７】
加えて、図１０に示すように、スリット孔２Ｂを、幅１ｃｍ、長さ８ｃｍに形成し、短手方向の側縁から７ｃｍ離れると共に、長手方向の側縁から４ｃｍ離れるように設けても良い。
【００７８】
この他にも、本発明は、前記した実施の形態に限定されるものではなく、本発明の目的を達成できる範囲での改良・変形等は、本発明に全て包含されるものである。
【産業上の利用可能性】
【００７９】
本発明は、電気、ガス、水道等の検針現場で使用する携帯型プリンタに対して、所定の厚みと重さを有するビニルシートにより、携帯型プリンタの用紙排出口から送り出された記録用紙を保護する記録用紙カバーを形成して、記録用紙が天候の影響を強く受けてしまう事態の発生を回避するものであるが、検針現場以外の様々な屋外における作業現場において使用する携帯型プリンタにも、幅広く利用することができる。
【符号の説明】
【００８０】
Ｓ…作業員
Ｂ…ベルト
Ｐ…記録用紙
１…記録用紙カバー
２Ａ…孔
２Ｂ…スリット孔
３…ベルト通し形成部材
４…孔
５…凸部
６…凹部
７…ボルト
８…ベルト通し
１００…携帯型プリンタ
１０１…ベルト通し
１０２…用紙排出口
１０３…操作部
１０４…ネジ穴
【図１】
2012131188.tif 000003
【図２】
2012131188.tif 000004
【図３】
2012131188.tif 000005
【図４】
2012131188.tif 000006
【図５】
2012131188.tif 000007
【図６】
2012131188.tif 000008
【図７】
2012131188.tif 000009
【図８】
2012131188.tif 000010
【図９】
2012131188.tif 000011
【図１０】
2012131188.tif 000012
【図１１】
2012131188.tif 000013
【図１２】
2012131188.tif 000014